(57)【要約】【課題】大規模な無差別マスコミュニケーション告知宣伝活動を行わなくてもイベント参加者の集客促進を図ると共にイベントの運営管理の自動化を図ることが可能な、アフィリエイトシステムを利用したイベント運営支援システムを提供する。【解決手段】アフィリエイタによる活動家のイベントの紹介記事が掲載されたメールマガジン，ブログ，ＳＮＳ等のページ上に設けられた誘導用リンクに基づいて、活動家のイベントに対応する個別イベント情報のページに誘導し、イベントに対する参加を促す参加申込画面をユーザ端末側に表示する集客処理手段と、参加申込画面を通じてイベントに対する参加申込みが完了したと判定した時点で、アフィリエイタに対する報酬及びイベントを開催する活動家に対する売上金を算出する報酬分配手段と、その算出結果に基づいて、アフィリエイタに対する報酬の支払処理及び活動家に対する売上金の支払処理を自動的に実行する決済手段と、を備える。【選択図】図２
2011134189.tif 000002
【特許請求の範囲】
【請求項１】
アフィリエイトシステムを利用したイベント運営支援システムであって、
活動家のイベント毎のイベント情報を個別イベント情報として活動家別に保管するイベント管理データベースと、
アフィリエイタによる前記活動家のイベントの紹介記事が掲載されたメールマガジン，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理手段と、
前記参加申込画面を通じて前記イベントに対する参加申込みが完了したと判定した時点で、前記アフィリエイタに対する報酬及び前記イベントを開催する活動家に対する売上金を算出する報酬分配手段と、
前記報酬分配手段の算出結果に基づいて、前記アフィリエイタに対する報酬の支払処理及び前記活動家に対する売上金の支払処理を自動的に実行する決済手段と、
を備えたことを特徴とするイベント運営支援システム。
【請求項２】
前記活動家のイベント参加者リストを活動家別に保管するユーザ管理データベースと、
無料サービスの利用が可能な第１の会員リスト及び有料サービスの利用が可能な第２の会員リストを保管するアフィリ管理データベースと、
前記イベントに対する参加申込みが完了したと判定した時点で、当該ユーザの情報を前記イベント参加者リストに自動的に反映する処理を実行する参加者リスト更新手段と、
前記参加者リスト更新手段の処理と連動して、前記当該ユーザの情報を前記第１の会員リストに自動的に反映する処理を実行する顧客情報収集手段と、
を更に備えたことを特徴とする請求項１に記載のイベント運営支援システム。
【請求項３】
前記第１の会員リストに示される各会員に対して購読解除リンク付のメールマガジンを自動的に配信する無料サービス提供手段を備えたことを特徴とする請求項２に記載のイベント運営支援システム。
【請求項４】
前記無料サービス提供手段は、前記当該ユーザが参加したイベントを開催した活動家のメールマガジンを当該会員に対して自動的に配信することを特徴とする請求項３に記載のイベント運営支援システム。
【請求項５】
前記顧客情報収集手段は、前記参加者リスト更新手段の処理と連動して、当該イベントを開催する活動家に関連する有料会員の会員申込画面を前記ユーザ端末側に表示し、前記会員申込画面を通じて前記有料会員の会員登録が完了したと判定した時点で、前記当該ユーザの情報を前記第２の会員リストに自動的に反映する処理を実行することを特徴とする請求項２乃至４のいずれかに記載のイベント運営支援システム。
【請求項６】
前記報酬分配手段は、前記ユーザ管理データベースに保管されている前記活動家の支援団体の支援者リスト及び前記活動家のイベント参加者リストに基づいて、前記参加申込みをしたユーザが前記イベントを開催する活動家の支援団体に属する支援者か否かを判定し、前記ユーザが前記支援団体に属していないと判定した場合は、前記支援団体への加入を促す画面を表示し、前記支援団体への加入がなされた時点で、前記アフィリエイタに対して特定のアフィリエイト報酬を発生させることを特徴とする請求項２乃至４のいずれかにに記載のイベント運営支援システム。
【請求項７】
前記支援団体への加入がなされた時点で、当該ユーザの情報を前記支援団体の支援者リストに自動的に反映する処理を実行する支援者リスト更新手段を備えたことを特徴とする請求項６に記載のイベント運営支援システム。
【請求項８】
活動家のイベント毎のイベント情報を個別イベント情報として活動家別に保管するイベント管理データベースと、ユーザ端末にネットワークを介して接続される運営支援サーバと、を備えたイベント運営支援システムにおけるイベント運営支援方法であって、
前記運営支援サーバは、
アフィリエイタによる前記活動家のイベントの紹介記事が掲載されたメールマガジン，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理ステップと、
前記参加申込画面を通じて前記イベントに対する参加申込みが完了したと判定した時点で、前記アフィリエイタに対する報酬及び前記イベントを開催する活動家に対する売上金を算出する報酬分配ステップと、
前記報酬分配ステップの算出結果に基づいて、前記アフィリエイタに対する報酬の支払処理及び前記活動家に対する売上金の支払処理を自動的に実行する決済ステップと、
を有することを特徴とするイベント運営支援方法。
【請求項９】
活動家のイベント毎のイベント情報を個別イベント情報として活動家別に保管するイベント管理データベースと、ユーザ端末にネットワークを介して接続される運営支援サーバと、を備えたイベント運営支援システムに適用されるプログラムであって、
前記運営支援サーバのコンピュータを、
フィリエイタによる前記活動家のイベントの紹介記事が掲載されたメールマガジン，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理手段、
前記参加申込画面を通じて前記イベントに対する参加申込みが完了したと判定した時点で、前記アフィリエイタに対する報酬及び前記イベントを開催する活動家に対する売上金を算出する報酬分配手段、及び、
前記報酬分配手段の算出結果に基づいて、前記アフィリエイタに対する報酬の支払処理及び前記活動家に対する売上金の支払処理を自動的に実行する決済手段、
として機能させることを特徴とするプログラム。
【発明の詳細な説明】
【技術分野】
【０００１】
本発明は、活動家が開催するイベントの運営を支援する情報処理システムに関し、特に、アフィリエイトシステムを利用したイベント運営支援システムに関する。
【背景技術】
【０００２】
背景技術を説明する前に、本明細書で用いる主要な用語の定義について説明する。
（用語の定義）
「活動家」とは、イベント主催者またはタレント・ミュージシャンなどを総称した用語であり、活動家が開催する「イベント」には、イベントやライブおよびビジネス等のセミナーが含まれる。本発明における手法が適用できる活動家の例としては、“アーティスト”等としては、タレント、俳優・女優、ミュージシャン、お笑い芸人、スポーツ選手、レポーターなど、いわゆるアーティストやアスリートなどのアクターなどで一般人より知名度が高く支援者を作る能力がある人達が含まれる。アーティスト以外では、成功ノウハウや生活の知恵やコンプレックスに起因する悩みの解決、占いなど様々なテーマについて指導や情報提供を行っている“ビジネス専門家”といわれる活動家および様々な目的で集まる会員の指導者または会員制の販売組織等が該当する。
【０００３】
「支援者」とは、活動家がアーティストの場合ではファンであり、アーティスト以外では会員を指している。
【０００４】
「支援団体（支援組織）」とは、支援者がファンの場合は、ファンクラブであり、会員の場合は会員組織を指している。
（背景技術の説明）
先ず、現状の支援団体運営の運営状況について説明する。
【０００５】
元アイドルグループのタレントが支援団体のお陰でグループ解散後２０数年程度経過して、個人的にもほとんど売れなくなった現在でも、充分過ぎるほどの収入を維持できている例があるが、この成功例は、このタレントの支援団体の運営がしっかりしていることが成功の要因となっている。このように支援団体の運営が維持できるか否かの重大なポイントは、支援団体を構成する支援者がどれだけ活動家を支援したいかという強い意思の継続以外のなにものでもない。
【０００６】
実際には、ファンクラブ等の支援団体の多くの現状は、団体を維持することに大変苦労していて、とても収益性を云々言えるほど利益がでて、上手い仕組みとは思われておらず、芸能界において、ファンクラブは、“儲からない”、“上手く行かない”と言うマイナス評価がほとんどであることも事実であり、積極的にファンクラブ等の支援団体の取り組もうという行動が生まれにくく、ファンクラブ等の支援団体の設立・運営および維持は大変で儲からないという評価が定着しているのが現状である。
【０００７】
このように支援団体の運営事業に失敗しているファンクラブ等の支援団体の実態は、名前ばかりの事務局があり、支援団体から支援者に対して提供されるものは、新着情報、イベント情報などの情報と、各種商品販売の告知やイベント開催の告知とチケット先行販売のお知らせ等のメリットしかなく、且つ、主にコンビニエンスストアや金融機関に毎月足を運んで自ら会費を支払う労費を伴いながら、毎月継続し続けるのは、余程、その活動家が好きでないと継続できないため、支援団体の会員数を維持することは大変困難な状況にあると言える。
【０００８】
また、活動家が活動する業界にて、知名度がある活動家又は過去に実績があった活動家であっても、状況は、前記のように支援団体の運営は難しく、且つ、あまり収益性のメリットが出せるほど成功できている例が少ない状況下で、まだ知名度がほとんど無く、活動の実績や歴史が浅い活動家は、なおさら支援団体の設立と運営は難しいと思われるため、これらの知名度の少ない活動家が支援団体の運営により成功するシナリオを描くのは、大変難しい現状がある。
【０００９】
次に、支援団体の運営及び活動家の支援に関する従来の手法について説明する。
【００１０】
＜１．ファンクラブ運営・課金に関して＞
ファンクラブの運営・課金の方法、および告知手法などは従来から一般化しており、払込票や携帯などの支払い方法を利用して会費課金の利便性を向上させることに主眼が置かれている（例えば特許文献１参照）。
【００１１】
ファンクラブの運用の維持運用で問題になっていることは、ファンクラブに加入するファンにとって加入を継続するためのメリットがあまりないことである。
【００１２】
一般的なタレントのファンクラブの場合、ライブの先行チケットが購入できる以外は、会報誌が届く程度であり、タレントが本当に好きなファンでないと継続することは難しい現実がある。
【００１３】
昨今では、タレントがブログ（Weblog）だけでなく、ＳＮＳ（Social  Networking  Service）サイトなどの会員サイトに記事を書くことも始まっており、メールマガジン（以下「メルマガ」と呼ぶ）を発行しているタレントも出てきている。
【００１４】
しかしながら、ブログやＳＮＳ、メルマガとファンクラブは連携しているのではなく、個々の各サービスＡＳＰ（Application  Service  Provider）を利用しているに留まっているので、その効果は収益を上げることが主目的ではなく活動家が支援者へのサービスの一環として活動しているのが現状である。
【００１５】
＜２．セミナー情報に関して＞
セミナーやイベント又はライブなどの来場者管理方法と同運営・告知システムの仕組みについては、従来から一般化していて、顧客管理に使う個人情報管理アイテム（例えばＩＣタグなど）などの違いや、管理・運営手法の効率化などが昨今の技術課題になっている（例えば特許文献２参照）。
【００１６】
また、セミナー等開催者の意図する参加者を募集告知し管理運営する方法も論じられている（例えば特許文献３参照）
特許文献３の「発明が解決しようとしている課題」にも記述されているように、セミナー等の運用管理は煩雑であり、実質的に且つ多様な形式に対応してシステム化されていないのが現状であると言える。
【００１７】
＜３．タレント情報販売システムに関して＞
インターネットを利用した様々な関連商品の販売が行われていて、その登録や販売方法も一般化されている（例えば特許文献４参照）。
【００１８】
しかし、これらは単にタレントを情報データ化し、それらの情報を利用して関連商品の販売などに利用しているだけであり、既に一般化しているインターネットにおける情報処理技術の応用にしかすぎない。
【００１９】
＜４．顧客情報収集に関して＞
従来の各種販売マーケティング手法（例えば特許文献５参照）は、広告メディアを利用して不特定多数の顧客情報を獲得する方法や、他の媒体で得た顧客情報リストに対して懸賞付ＤＭ（Direct  Mail）やクーポン及びポイントなどで顧客獲得するマス手法が主であるが、現在ではスパム防止の観点から予め認証された顧客にしかメール配信できないことや、個人情報保護法により、他の媒体で得た顧客情報リストを活用するなどの行為は法の趣旨に反する手法を利用できなくなっている。
【先行技術文献】
【特許文献】
【００２０】
【特許文献１】特開２００２−３５２０３５号公報
【特許文献２】国際公開第２００６／０７５７１４号
【特許文献３】特開２００２−０４１６３０号公報
【特許文献４】特開２０００−３３１０３０号公報
【特許文献５】特開平１０−０２１３０３号号公報
【発明の概要】
【発明が解決しようとする課題】
【００２１】
本発明が解決しようとする課題について、従来のイベント情報サイトの一例を模式化して示す図１を用いて説明する。
【００２２】
従来のイベント情報サイト１００は、イベント情報（Ｄ１，Ｄ１１）や活動家情報（Ｄ２）などを保管するデータベース（図１中に示すようなイベント管理ＤＢ１〜決済管理ＤＢ５）を備え、そのサイト１００を管理する情報処理システム（以下「イベント情報システムと呼ぶ」では、そのデータベースを用いて、活動家の主催するイベントに関連するサービスを提供するようにしている。このようなイベント情報システムにおいては、イベント情報の閲覧サービスやイベント参加の予約サービスなどをユーザが享受できるので便利であるが、次のような課題がある。
【００２３】
＜課題１＞
従来のイベント情報システムでは、イベント情報サイト１００においてイベント情報（Ｄ１，Ｄ１１）を公開し、それを見たユーザがイベント参加の申込み（Ｄ３）を行い、そのイベントに参加する仕組みとしている。この仕組みは、言わば“待ち（受身）のマーケティング”の仕組みであり、より確実にイベント集客を行うにはマスメディア広告などを利用するなど別のマーケティングの仕組みが必要であり、集客における機動力は限定的である。
【００２４】
＜課題２＞
従来のイベント情報システムでは、イベント情報サイト１００からイベント参加したユーザに対して銀行振込など決済手段の案内を行い、入金確認を以ってイベント参加とすることで予約管理などを行っているが、その運営管理は煩雑であり、特別なイベント運営管理システムを構築する必要がある。
【００２５】
＜課題３＞
従来のイベント情報システムでは、イベント開催の度に顧客情報を獲得することはできるが、基本的に、複数のイベント情報（Ｄ１１）は個別に登録・運営されていて各イベントが連携していることは少なく、イベントの売上げの支払いや顧客管理などもイベント単位で扱っているため、顧客情報収集システムの意味としては、意図的に集計するか、又は特別に顧客情報を蓄積管理するシステムを構築する以外では実現することができなかった。
【００２６】
（本発明の目的）
本発明は上述のような事情から成されたものであり、本発明の第１の目的は、大規模な無差別マスコミュニケーション告知宣伝活動を行わなくてもイベント参加者の集客促進を図ると共に、集客や支援団体への加入などに貢献した人（支援者や活動家など）に対して課金の報酬分配を自動化するなど運営管理の自動化を図ることが可能な、アフィリエイトシステムを利用したイベント運営支援システム（以下「イベント運営支援システム」と略称する）を提供することにある。
【００２７】
本発明の第２の目的は、支援団体の規模を自動的に増加させ、その結果、活動家の収入を増加させることが可能なイベント運営支援システムを提供することにある。
【００２８】
本発明の第３の目的は、異なるサービスを提供する複数の会員サイトの会員データベースを一元的に管理し、支援者が会員として初回登録した以降は、各会員サイトのサービスを自動的に享受することが可能となるイベント運営支援システムを提供することにある。
【課題を解決するための手段】
【００２９】
本発明は、アフィリエイトシステムを利用したイベント運営支援システム、方法、及びプログラムに関するものであり、本発明の上記目的は、
イベント運営支援システムに関しては、
活動家のイベント毎のイベント情報を個別イベント情報として活動家別に保管するイベント管理データベースと、アフィリエイタによる前記活動家のイベントの紹介記事が掲載されたメルマガ，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理手段と、前記参加申込画面を通じて前記イベントに対する参加申込みが完了したと判定した時点で、前記アフィリエイタに対する報酬及び前記イベントを開催する活動家に対する売上金を算出する報酬分配手段と、前記報酬分配手段の算出結果に基づいて、前記アフィリエイタに対する報酬の支払処理及び前記活動家に対する売上金の支払処理を自動的に実行する決済手段と、を備えることによって達成される。
【００３０】
さらに、本発明の上記目的は、
前記活動家のイベント参加者リストを活動家別に保管するユーザ管理データベースと、無料サービスの利用が可能な第１の会員リスト及び有料サービスの利用が可能な第２の会員リストを保管するアフィリ管理データベースと、前記イベントに対する参加申込みが完了したと判定した時点で、当該ユーザの情報を前記イベント参加者リストに自動的に反映する処理を実行する参加者リスト更新手段と、前記参加者リスト更新手段の処理と連動して、前記当該ユーザの情報を前記第１の会員リストに自動的に反映する処理を実行する顧客情報収集手段と、を備えること、
前記第１の会員リストに示される各会員に対して購読解除リンク付のメールマガジンを自動的に配信する無料サービス提供手段を備えること、
前記無料サービス提供手段は、前記当該ユーザが参加したイベントを開催した活動家のメールマガジンを当該会員に対して自動的に配信すること、
前記顧客情報収集手段は、前記参加者リスト更新手段の処理と連動して、当該イベントを開催する活動家に関連する有料会員の会員申込画面を前記ユーザ端末側に表示し、前記会員申込画面を通じて前記有料会員の会員登録が完了したと判定した時点で、前記当該ユーザの情報を前記第２の会員リストに自動的に反映する処理を実行すること、
前記報酬分配手段は、前記ユーザ管理データベースに保管されている前記活動家の支援団体の支援者リスト及び前記活動家のイベント参加者リストに基づいて、前記参加申込みをしたユーザが前記イベントを開催する活動家の支援団体に属する支援者か否かを判定し、前記ユーザが前記支援団体に属していないと判定した場合は、前記支援団体への加入を促す画面を表示し、前記支援団体への加入がなされた時点で、前記アフィリエイタに対して特定のアフィリエイト報酬を発生させること、
前記支援団体への加入がなされた時点で、当該ユーザの情報を前記支援団体の支援者リストに自動的に反映する処理を実行する支援者リスト更新手段を備えること、
によってそれぞれ一層効果的に達成される。
【００３１】
また、方法に関しては、
活動家のイベント毎のイベント情報を個別イベント情報として活動家別に保管するイベント管理データベースと、ユーザ端末にネットワークを介して接続される運営支援サーバと、を備えたイベント運営支援システムにおけるイベント運営支援方法であって、前記運営支援サーバは、アフィリエイタによる前記活動家のイベントの紹介記事が掲載されたメールマガジン，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理ステップと、前記参加申込画面を通じて前記イベントに対する参加申込みが完了したと判定した時点で、前記アフィリエイタに対する報酬及び前記イベントを開催する活動家に対する売上金を算出する報酬分配ステップと、前記報酬分配ステップの算出結果に基づいて、前記アフィリエイタに対する報酬の支払処理及び前記活動家に対する売上金の支払処理を自動的に実行する決済ステップと、を有することによって達成される。
【００３２】
また、プログラムに関しては、
活動家のイベント毎のイベント情報を個別イベント情報として活動家別に保管するイベント管理データベースと、ユーザ端末にネットワークを介して接続される運営支援サーバと、を備えたイベント運営支援システムに適用されるプログラムであって、前記運営支援サーバのコンピュータを、フィリエイタによる前記活動家のイベントの紹介記事が掲載されたメールマガジン，ブログ，又はＳＮＳのページ上に設けられた誘導用リンクに基づいて、前記活動家のイベントに対応する前記個別イベント情報のページに誘導し、前記イベントに対する参加を促す参加申込画面をユーザ端末側に表示する集客処理手段、前記参加申込画面を通じて前記イベントに対する参加申込みが完了したと判定した時点で、前記アフィリエイタに対する報酬及び前記イベントを開催する活動家に対する売上金を算出する報酬分配手段、及び、前記報酬分配手段の算出結果に基づいて、前記アフィリエイタに対する報酬の支払処理及び前記活動家に対する売上金の支払処理を自動的に実行する決済手段、として機能させること、によって達成される。
【発明の効果】
【００３３】
本発明によれば、多数のアフィリエイタが、集客による紹介報酬獲得を目的とした集客活動を行うため、大規模な無差別マスコミュニケーション告知宣伝活動を行わなくても、イベント参加者の集客促進を図ることが可能となる。また、イベント参加者のリストの更新処理と連動してアフィリ管理データベース内の無料会員リストにイベント参加者を反映させる手段を備えることで、アフィリエイトシステム側の顧客情報を自動的に収集することが可能になると共に、イベント参加者は無料サービスを享受できるようになる。
【００３４】
また、イベント参加者のリストの更新処理と連動して、当該イベントを開催する活動家に関連する有料会員への加入を促す形態とすることで、支援者が有料会員として初回登録した以降は、会員サイトのサービスを自動的に享受できるようになると共に、活動家の支援者の増大を図ることが可能になる。それにより、イベント開催を繰り返すことで、支援団体の規模を自動的に増加させ、その結果、活動家の収入を増加させることが可能になる。
【図面の簡単な説明】
【００３５】
【図１】従来のイベント情報サイトの一例を示す模式図である。
【図２】本発明に係るイベント情報サイトの一例を図１に対応させて模式図である。
【図３】本発明に係る活動家及び支援団体の構成例を示す模式図である。
【図４】本発明に係る運用支援システムの全体構成の一例を示すブロック図である。
【図５】本発明に係る運用支援サーバのイベント運営支援処理部の構成例を示す機能ブロック図である。
【発明を実施するための形態】
【００３６】
以下、図面を参照しながら本発明の好適な実施形態について説明する。なお、説明は以下の順序で行う。
（１．用語の定義）
（２．本発明に係るイベント運営支援システムの仕組み）
（３．システムの全体構成）
（４．本発明に係る運営支援サーバの機能構成と動作例）
（５．本発明に係る運営支援サーバの動作例）
発明の好適な実施形態を説明する前に、本明細書で用いる主要な用語の定義について説明する。なお、「活動家」「イベント」「支援者」及び「支援団体」の定義は、背景技術において述べた（用語の定義）と同一であるため、説明を省略し、ここでは、アフィリエイトシステムに関する用語について説明する。
【００３７】
（１．用語の定義）
「アフィリエイト」とは、自分のWebサイト（ブログやメルマガを含む）で紹介した商品が売れた場合、その売上げの一部が報酬として支払われるという仕組みのことを言う。本実施形態では、このアフィリエイトの仕組みを利用して、活動家のイベントを他の支援者や友人などに紹介してそのイベントに参加させた場合にも、アフィリエイタに対して報酬を支払う形態としている。
【００３８】
「アフィリエイト販売」とは、上記仕組みを利用した商品の販売を言う。本実施形態では、アフィリエイト販売を利用して活動家の関連商品を支援者等が販売する形態としている。
【００３９】
「アフィリエイタ」とは、自身のサイトで商品発行者の商品を紹介販売したり、特定の会員に友人などを加入させたりすることによって貰える販売マージンを稼ぐ人（紹介者）のことを指している。本実施形態では、活動家の支援団体に属する支援者や活動家自身もアフィリエイタとなる。
【００４０】
「アフィリエイト・リンク」とは、店舗サイト内の販売者のウェブページなど、アフィリエイト販売に関する特定のウェブページに誘導させるリンクのことを言う。本実施形態では、活動家が開催予定のイベントをアフィリエイタが紹介し、その活動家のイベント情報サイトに誘導するリンクとして利用している。
【００４１】
「決済リンク」とは、アフィリエイト販売によって購入された商品の決済（口座決済やクレジットカード決済）を行うウェブページに誘導させるリンクのことを言い、本実施形態では、イベント参加者の参加費用の決済や、活動家の関連商品購入者の商品代金の決済などを行う決済ページへのリンクとして利用している。
【００４２】
（２．本発明に係るイベント運営支援システムの仕組み）
本発明に係るイベント運営支援システムは、アフィリエイトシステムを利用した情報処理システムであり、以下、アフィリエイトシステムのモジュール（本発明に利用する構成要件）を含むコンピュータシステムを「イベント運営支援システム」又は「本システム」と呼ぶ。
【００４３】
以下の実施形態では、活動家が開催するイベントの運営を支援するシステムを好適な実施形態として説明するが、イベント運営の支援に限るものではなく、本システムは、広義の意味では、アフィリエイト販売システム，活動家のメルマガ配信システム，活動家のＳＮＳ運営管理システム，支援団体の運営管理システムなど、複数のシステムの機能を備えて（或いは各システムとの連携処理によって）、活動家の活動支援や支援団体の運営支援を広範に亘って行う情報処理システムである。
【００４４】
本発明に係るイベント運営支援システムの仕組みについての説明は以下の順序で行う。
（2-1．アフィリエイトシステムを利用したイベント情報サイトについて）
（2-2．イベント参加者の集客促進を図る手法）
（2-3．イベント紹介者に対する報酬分配を自動化する手法）
（2-4．支援団体の規模を自動的に増大させる第１の手法）
（2-5．支援団体の規模を自動的に増大させる第２の手法）
先ず、アフィリエイトシステムを利用したイベント情報サイトについて、図２を参照して概略を説明する。
【００４５】
（2-1．アフィリエイトシステムを利用したイベント情報サイトについて）
図２は、本発明に係るイベント情報サイトの一例を図１に対応させて模式図である。図１に例示したように、従来のイベント情報サイト１００は、マスメディア広告や検索サイトを宣伝告知手段として使用し、その宣伝告知手段によって集客する形態としているのに対し、本発明に係るイベント情報サイト１０は、図２中に示すように、ブログ，ＳＮＳ，メルマガなどを宣伝告知手段として用いた「アフィリエイト販売活動」を利用して集客する形態としている。
【００４６】
また、本実施の形態では、活動家の数や支援団体の数には制限が無く、図３に示すように、活動家Ｃ１を頂点とした支援団体Ｃ２（支援者Ｃ３の集団）を１組織とした場合、複数の組織を対象とした支援を可能としている。この１組織の構成を表す情報、すなわち、活動家Ｃ１とその支援団体Ｃ２に属する各支援者Ｃ３の情報は、「支援者リスト」としてユーザ管理Ｄ１２に活動家別に保管されている。
【００４７】
イベント情報サイト１０を運営するシステムの構成については後述するものとし、ここでは、図２中のデータベース（ＤＢ１１〜ＤＢ１７）とイベント参加申込画面（Ｄ３）について説明する。
【００４８】
イベント管理ＤＢ１１は、イベント情報（Ｄ１，Ｄ１１）を保管するデータベースであり、本実施の形態では、各活動家のイベント毎のイベント情報（個別イベント情報Ｄ１１）が、イベントＩＤ（識別子），及び当該イベントを開催する活動家の活動家ＩＤなどで関連付けられて活動家別に保管される形態としている。
【００４９】
ユーザ管理ＤＢ１２は、活動家のイベント参加者リストを活動家別に保管すると共に、活動家の支援団体の支援者リストを活動家別に保管するデータベースである。本実施形態では、上記イベント参加者リストは、例えばイベントＩＤと各参加者のユーザＩＤに対応するユーザ情報群とから構成され、顧客が参加申込みを行った時点で自動的に作成及び更新される形態としている。
【００５０】
活動家管理ＤＢ１３は、活動家の情報（イベントの売上代金や活動家の関連商品の売上代金の振込先口座など）を活動家ＩＤに対応付けて格納するデータベースであり、本実施形態では、複数の活動家の情報を一括して管理する形態としている。
【００５１】
予約管理ＤＢ１４は、当該イベントの予約者（参加申込者）の情報をイベントＩＤやユーザＩＤに対応付けて保管するデータベースである。
【００５２】
決済管理ＤＢ１５は、決済会社の情報（決済システムとのＡＰＩプロトコルなど）や、報酬に関する課金情報などを決済会社ＩＤ等で対応付けて格納するデータベースである。
【００５３】
アフィリ管理ＤＢ１６は、アフィリエイト処理に関するデータを保管するデータベースであり、無料サービスの利用が可能な第１の会員リスト及び有料サービスの利用が可能な第２の会員リストなどを保管するデータベースである。第１の会員リストは、本例では、活動家が発行するメルマガの配信サービスの利用が可能なメルマガ購読会員リストを含む無料会員リストである。また、第２の会員リストは、本例では、アフィリエイト販売を含むアフィリエイトサービスの利用が可能なアフィリ会員リスト、及び活動家のＳＮＳサイトの利用が可能なＳＮＳ会員リストを含む有料会員リストである。アフィリ管理ＤＢ１６には、その他に、図２中のアフィリ管理画面Ｄ４のデータ，イベント参加者や活動家の関連商品の購入者などの顧客情報リスト，後述する課金ＡＰＩのデータなどが格納される。
【００５４】
売上管理ＤＢ１７は、イベントの開催による売上金や活動家の関連商品の販売による売上金など、売上げに関するデータをイベントＩＤや活動家を特定する活動家ＩＤ等と関連付けて保管するデータベースである。
【００５５】
図２中のアフィリ管理画面Ｄ４は、本システムが管理する画面であり、図２中のリンク（アフィリエイト・リンク）が設定されたイベント告知用の画面、決済リンクが設定された個別イベント情報Ｄ１１が掲載される画面など、アフィリエイト処理に係る画面を指している。
【００５６】
本実施の形態においては、図２中の各データベース（ＤＢ１１〜ＤＢ１７）をユーザＩＤ等で関連付けて一元的に管理し、ユーザが属する支援団体、ユーザが属する会員（メルマガ購読会員，ＳＮＳ会員，アフィリエイト会員等）、及びイベント参加者などの各保管情報を参照できるようにしている。
【００５７】
（2-2．イベント参加者の集客促進を図る手法）
次に、図２を参照して、イベント参加者の集客促進を図る手法（手段）について説明する。
【００５８】
アフィリエイトシステムでは、メルマガやブログ上にアフィリエイタによって紹介された商品の紹介ページに設けられアフィリエイト・リンクに基づいて、商品の販売者のＷｅｂページである販売者ページに顧客（商品購入者）を誘導する、という誘導機能を備えている。
【００５９】
この誘導機能は公知の技術であるが、本発明ではこの誘導機能を応用して、イベント参加者の集客促進を図る仕組みを提供する。
【００６０】
アフィリエイトシステムを使ったイベント集客の具体的な手法としては、アフィリエイタが運営する図２中の「ブログ」「ＳＮＳ」「メルマガ」などをイベント告知用のメディアとして用い、そのメディアから図２中のリンク（アフィリエイト・リンク）により、イベント情報サイト１０内の個別イベント情報掲載ページＤ１１、又は、イベントを主催する活動家のＨＰサイト内のイベント情報掲載ページＤ１１へ顧客（イベント参加者）を誘導し、そこに設けた決済リンクを顧客にクリックさせることで、イベントの参加申込みを行わせる流れとなる。この一連の流れを制御する手段（「集客処理手段」と呼ぶ）及び後述の各手段は、本実施形態においては、それの手段をコンピュータ（後述の運用支援サーバのＣＰＵ）に機能させるプログラムによって実現される。
【００６１】
ここで、上記のような集客処理手段を採用することによって得られる効果について説明する。
【００６２】
アフィリエイトシステムでは、多数のアフィリエイタが、集客による紹介報酬獲得を目的としたアフィリエイト販売活動を行うため、マスメディア広告などの高額な宣伝告知手段を使わなくても大量の告知機動力を発揮することができ、且つ集客による収入確保の後の成果報酬支払いとなるため、個人・ＳＯＨＯ（Small  Office/Home  Office）や中小零細企業など資金力の乏しい活動家でも、容易にイベント開催に取り組むことが可能になるなど、日本経済の底辺から経済発展を支えるのに貢献できる仕組みにもなり得る。
【００６３】
（2-3．イベント紹介者に対する報酬分配を自動化する手法）
次に、イベント紹介者に対する報酬分配を自動化する手法について説明する。
【００６４】
アフィリエイトシステムでは、アフィリエイタに対する報酬を自動的に課金すると共に、決済システムと連携処理により、仮想店舗（インターネット上の販売サイト）で販売された商品代金から報酬を差し引いた残額を店舗口座に自動的に振込む、という決済機能を備えている。
【００６５】
この決済機能は公知の技術であるが、本発明ではこの決済機能を利用して、イベント参加者を誘導・集客したアフィリエイタ（イベント紹介者）に対する報酬分配を自動化する仕組みを提供する。
【００６６】
上記決済システムとの連携処理は後述するものとし、ここでは、上記報酬分配の手法について概略を説明する。
【００６７】
本実施の形態では、前述の集客処理手段によってイベント参加者を誘導・集客し、決済リンク操作により顧客が参加申込みを行った時点で、自動的にアフィリエイタへのアフィリエイト報酬を計算すると共に、活動家へのシステム利用手数料とアフィリエイト報酬とを差し引いた売上金を計算し、その結果に基づいて活動家（及びアフィリエイタ）の指定銀行口座などへ振り込む課金決済処理を実行する。
【００６８】
ここで、上記のような報酬を計算する課金手段（以下「報酬分配手段」と呼ぶ）と、決済処理を実行する手段（以下「決済手段」と呼ぶ）と、を採用することによって得られる効果について説明する。
【００６９】
課題２として述べたように、従来のイベント情報システムでは、イベント情報サイトからイベント参加したユーザに対して銀行振込など決済手段の案内を行い、入金確認を以ってイベント参加とすることで予約管理などを行っているが、その運営管理は煩雑であり、特別なイベント運営管理システムを構築する必要があった。これに対して、本システムのイベント情報サイトの場合は、イベント参加者を誘導・集客し、参加申込みを行った時点で、参加申込者の登録管理、決済管理、顧客管理などイベント予約管理に必要な全ての処理が実行されるなど、従来の様な煩雑なイベント運営管理システムは、ほとんど不要となる。
【００７０】
（2-4．支援団体の規模を自動的に増大させる第１の手法）
次に、支援団体の規模を自動的に増大させる手法について説明する。
【００７１】
本システムでは、前述の決済リンクのクリック操作により顧客が参加申込みを行った時点で、参加申込者の予約情報を予約管理ＤＢ１４に保管し、更に、「参加者リスト更新手段」によって、イベント参加者を当該イベントの参加者リストに追加してユーザ管理ＤＢ１２に自動的に反映すると共に、その処理と連動して、「顧客情報収集手段」によって、参加者リストと顧客リストとを照合する等によってイベント参加者が新たな顧客と判定した場合は、アフィリ管理ＤＢ１６内の顧客情報リストに自動的に反映する処理を実行する。
【００７２】
そして、本システムでは、上記ユーザ管理ＤＢ１２を基に、活動家のメルマガ購読や有料会員サイト（ＳＮＳを含む）へのログインや各種有料サービスの利用、有料会員専用のアフィリエイト販売の利用などがデータベース連携（特に会員管理を行うユーザ管理ＤＢ１２とアフィリ管理ＤＢ１６との連携）にて利用できるようにしている。
【００７３】
具体的には、前述の決済リンクのクリック操作に応じて、イベント参加者をユーザ管理ＤＢ１２内の参加者リストに加えると共に、特定の無料サービスを受けられる無料会員としてアフィリ管理ＤＢ１６自動的に登録する「無料サービス提供手段」を備え、イベント参加者には、例えば当該活動家のメルマガを無料で自動配信する形態としている。なお、そのメルマガは、購読解除リンク付のメルマガであり、購読解除の場合は、購読解除フラグが付き、自動配信の対象外となる。
【００７４】
また、本システムでは、例えば、前述のイベント告知用のメディアや活動家のＨＰサイト等に掲載された販売商品（有料会員向けの活動家の関連商品等）がクリックされた場合に、有料会員サイト（活動家が主催するＳＮＳサイトを含む）の会員申込画面を表示し、その会員申込画面を通じて課金処理（クレジットカード入力などにより課金処理）を行って会員登録された場合に、有料会員としてアフィリ管理ＤＢ１６（本例ではＳＮＳ管理ＤＢを含むデータベース）に登録する。そして、「有料サービス提供手段」によって当該ユーザに対しては有料会員サイトでの各種有料サービスの利用は勿論、有料会員専用のアフィリエイト販売の利用などを可能とする形態としている。
【００７５】
ここで、上記のような処理を実行する手段を採用することによって得られる効果について説明する。
【００７６】
課題３として述べたように、従来のイベント情報システムでは、イベント開催の度に顧客情報を獲得することはできるが、基本的に、複数のイベント情報（Ｄ１１）は個別に登録・運営されていて各イベントが連携していることは少なく、イベントの売上げの支払いや顧客管理などもイベント単位で扱っているため、顧客情報を一元的に蓄積管理することができていなかった。
【００７７】
これに対して、本システムのイベント情報サイトの場合は、前述の参加者リスト更新手段を備えることで、ユーザ管理ＤＢ１２だけで、活動家やイベント毎の情報を得ることが可能となり、特別なシステムを必要とせずに、イベント開催を繰り返すことで、当該活動家のユーザ情報を蓄積していくことが可能になる。そして、イベント開催など活動を行えば行うほど、当該活動家の支援団体の規模は自動的に拡大増加し、当該活動家の市場は拡大することになる。その結果、当該活動家の収入を増加させる結果になる。
【００７８】
また、後述の「支援者リスト更新手段」を備えることで、イベント情報システムとファンクラブなどの支援団体の会員システムとが連動し、且つ当該活動家が積極的にイベント開催を行うことで、支援団体の会員が自動的に拡大増加する。また、活動家の所属事務所などから売上管理ＤＢ１７の閲覧を可能とすることで、当該活動家の支援団体会員数と、その組織内の販売力の結果となる売上台帳を確認することができ、当該活動家が所属事務所にとって有益な存在であるか否かを容易に判断することが可能になる。また、イベントに参加した支援者はユーザ管理ＤＢ１２に初回登録された以降は、会員データベース（本例ではユーザ管理ＤＢ１２，活動家管理ＤＢ１３，及びアフィリ管理ＤＢ１６）を一元管理することで、サインレスにて各種イベント参加や商品購入、メルマガ購読などの特典を提供することが可能となる。
【００７９】
（2-5．支援団体の規模を自動的に増大させる第２の手法）
次に、支援団体の規模を自動的に増大させる第２の手法について説明する。
【００８０】
前述の「イベント紹介者に対する報酬分配を自動化する手法では、一般のアフィリエイタがアフィリエイト報酬獲得の活動として、イベント集客を行う場合を例として説明したが、アフィリエイトシステムでは、アフィリエイタが別のアフィリエイタを相手にアフィリエイト販売活動を行ったり、実質的な割引目的でアフィリエイタ自身が商品の購入者になったりすることも有り得る。
【００８１】
一般に支援者が友人等を誘導して、支援者として紹介し登録するケースもあるが、この自由な発想の行動パターンを活用した場合、活動家の支援者になった者が、友人・知人などを支援者として登録させることで、アフィリエイト報酬を獲得することもあると思われる。
【００８２】
例えば、仮にアフィリエイト報酬が支援団体の会費の２０％であったとすれば、支援者が５名の支援者を紹介し登録させれば、自分の会費は無料になる。
【００８３】
そこで、本実施形態においては、支援者自体がアフィリエイタとしてイベント集客してイベント参加者として申込ませた場合、或いは直接支援団体への加入を促して支援者として登録させた場合に、紹介した支援者へアフィリエイト報酬が発生する仕組みを提供する。
【００８４】
具体的には、前述の集客処理手段によってイベント参加者を誘導・集客し、例えば、決済リンク操作により顧客が参加申込みを行った時点で、活動家の支援団体の支援者リストに基づいて、イベント参加者が当該イベントを開催する活動家の支援団体に属する支援者か否かを判定し、イベント参加者が支援者と判定した場合は、前述の報酬分配手段によってその紹介者に対して特定のアフィリエイト報酬（一般のアフィリエイタとは異なる特定のアフィリエイト報酬）を発生させる形態とする。
【００８５】
また、例えば、イベント参加者が支援者でないと判定した場合は、支援団体への加入を促す画面を表示し、支援団体への加入がなされた時点で、「支援者リスト更新手段」によって、その支援団体に属する支援者を表す支援者リストにイベント参加者の情報を加えると共に、前述の報酬分配手段によってその紹介者に対して特定のアフィリエイト報酬を発生させる形態とする。
【００８６】
このように、アフィリエイトシステムをファンクラブなどの支援団体運営に利用することで、支援者自体がアフィリエイタとしてイベント集客したり、直接支援団体への加入を促したりすることで紹介した支援者へアフィリエイト報酬が発生するため、支援団体の規模拡大に貢献する仕組みになる。
【００８７】
また、支援者自体がアフィリエイタとして活動する場合は、活動家の販売する関連商品等を自らのブログやＳＮＳおよびメルマガなどで告知することで、活動家の商品販売に対するアフィリエイタにもなるので、活動家は支援者に対して商品告知することで、当然のように支援者は高い確率で商品購入者になり、また、支援者自身が活動家のアフィリエイト販売活動を行うことで活動家の商品販売の売上げに貢献できることになる。
【００８８】
また、支援団体の会員サイト内で、活動家の支援者獲得に貢献した成績や商品販売に貢献した成績を掲載したり、支援者のランク別けを行うなどの評価を行ったりすることで、支援者の活性化を行うことも可能となる。
【００８９】
以上のような仕組みにより、大規模な無差別マスコミュニケーション告知宣伝活動を行わなくても、支援者が求めるものを活動家が提供していることで、自然に支援団体は維持存続及び増強することができ、安全で取引事故のほとんど発生しない“クローズド・マーケティグ”の市場を形成することが可能となる。
【００９０】
以下、上述した仕組みを実現するイベント運営支援システムの構成について、詳細に説明する。
（３．システムの全体構成）
図４は、アフィリエイトシステムを利用したイベント運営支援システムの全体構成の一例を示すブロック図である。なお、本発明で言う「イベント運営支援システム」とは、狭義の意味では、アフィリエイトシステムのモジュール（本発明において利用する構成要件）を含むＡＳＰ（Affiliate  Service  Provider）のシステムのことを言うが、広義の意味では、図４に示される全体のコンピュータネットワークシステムのことを言う。以下、システムの中核となるＡＳＰのコンピュータシステムを「イベント運営支援システム」又は「本システム」と呼んで説明する。以下、既に説明済みのイベント情報サイトについては、説明を省略又は簡略化して説明する。
【００９１】
図４において、イベント運営支援システム３０は、ユーザ１が使用するユーザ端末（ＰＣ１ａ，携帯端末１ｂ等）と、アフィリエイタ２が宣伝告知手段として使用する電子メディア２０（ブログ，メルマガ，ＳＮＳ等）と、各カード会社のコンピュータや銀行側のコンピュータとの間で決済処理を行う決済システム４０と、電子マネーを発行する電子マネー処理システム５０とに、それぞれインターネット等のネットワークを介して相互に通信可能に接続されている。
【００９２】
アフィリエイタ２は、一般には仮想店舗等に出品される商品の紹介者であるが、本実施の形態では、活動家が開催するイベントの紹介者（イベントの宣伝・広告に関する口コミの基点となる人）として説明する。なお、アフィリエイタ２は、活動家の支援者や活動家自身に限らず、一般の人でも良い。
【００９３】
イベントの参加申込み等に利用するユーザ１の通信端末は、Ｗｅｂブラウザを実装した情報処理端末であり、クッキー機能を有する通信端末（以下「パソコン」とする）１ａの他に、クッキー機能を持たない携帯電話機、ＰＤＡ（Personal  Digital  Assistants）等の通信端末１ｂ（以下「携帯端末」とする）など、インターネット接続機能を有する任意の情報処理装置を利用することができる。
【００９４】
本発明に係るイベント運営支援システム３０は、サービスの種類や会員の管理形態などが異なるアプリケーションシステム（イベント情報システム、アフィリエイト販売システム、メルマガ配信システム、ＳＮＳ運営管理システムなど）が連携して実質的に１つのシステムとして動作するシステムであり、ＡＳＰ（Affiliate  Service  Provider）が運営管理する情報処理システムである。
【００９５】
イベント運営支援システム３０内の運営支援サーバは、主要な構成として、図２に例示したイベント情報サイト１０の運営を支援するイベント運営支援処理部３２と、アフィリエイトサービスに係る情報処理全般を行うアフィリエイト処理部（図４中のデータ継承制御部３３，決済連携処理部３４，報酬交換処理部３５など）と、図２に例示したデータベース群３６（ＤＢ１１〜ＤＢ１７）とを含んで構成される。データベース（ＤＢ１１〜ＤＢ１７）については説明済みのため、ここでは説明を省略する。なお、データベースの構成やデータの保管場所は、ＤＢ１１〜ＤＢ１７の分散形態に限定されるものではなく、また、他のシステムのデータベースサーバを介してデータベースの連携処理を行うことによって当該データの参照及び更新処理を実行する形態なども本発明に含まれる。また、ユーザ情報を統合管理する形態とした場合は、ユーザ情報を管理する顧客管理台帳は、システム固有のユーザＩＤを用いて１つのデータベース（例えばユーザ管理ＤＢ１２）で保管される。
【００９６】
本発明に係る前述の集客処理手段は、アフィリエイトシステムの構成要素であるデータ継承制御部３３の機能を備えている。また、前述の報酬分配手段と決済手段は、アフィリエイトシステムの構成要素である決済連携処理部３４及び報酬交換処理部３５の機能を備えている。
【００９７】
なお、アフィリ管理ＤＢ１６には、会員登録された親アフィリエイタとその親アフィリエイタの紹介によって会員登録された子アフィリエイタ（子会員）とが関連付けられて、アフィリエイタの情報が格納されており、アフィリ管理ＤＢ１６と売上管理ＤＢ１７内の販売実績データとを参照することで、子アフィリエイタの数や、２ティア報酬による報酬率を算出できるようにしている。
【００９８】
イベント運営支援システム３０内のイベント運営支援処理部３２の構成については、後述するものとし、ここでは、アフィリエイト処理部（データ継承制御部３３，決済連携処理部３４，及び報酬交換処理部３５）と誘導用リンクについて説明する。
【００９９】
《データ継承制御部３３》
データ継承制御部３３は、アフィリエイト処理に必要なデータ（特に、どの商品またはどの活動家のどのイベントを誰が紹介したかを特定するためのデータ）の継承／復元に係る処理の実行制御を行う。
【０１００】
《決済連携処理部３４》
決済連携処理部３４は、決済システム４０との連携処理によりイベント情報サイト１０を運営する活動家に対する売上代金の振込処理、及びアフィリエイタに対する報酬の支払処理を行う。
【０１０１】
《報酬交換処理部３５》
報酬交換処理部３５は、付加的な構成要件であり、電子マネーを発行する電子マネー処理システム５０側との連携処理により、アフィリエイタに対する報酬をその報酬が発生した時点でリアルタイムに電子マネーに自動交換（又は所定期間が経過した時点で電子マネーに自動交換）する処理や、電子財布機能を有する携帯端末１ｂやＩＣカードへの電子マネーの自動補充処理を実行する。
【０１０２】
《誘導用リンクについて》
本実施の形態では、アフィリエイタ２のイベント紹介ページ２１ａに設けられるイベント情報サイト１０（及び商品紹介ページに設けられる販売サイト）への誘導用リンク（ＵＲＬリンク）は、ハイパーリンク若しくは、カメラ付き携帯端末により読取可能なＱＲコード（登録商標）等の所定の２次元コード内にコード化されたリンクを含み、その誘導用リンクは、イベント運営支援システム３０内のＷｅｂサーバ（運営支援サーバ）をアクセス先ホストとし且つ、アフィリエイタが紹介したイベント又はそのイベントの開催者である活動家を特定する第１識別データとアフィリエイタを特定する第２識別データとを含むＵＲＬリンクで構成されている。そして、アフィリエイタ２のブログやＳＮＳ、メルマガ等（電子メディア２０）に掲載されるイベント紹介ページ２１ａには、活動家のイベントや活動家の関連商品の掲載も可能であり、誘導用リンク（ＵＲＬリンク）は個々の活動家のイベントや上記関連商品に対応して設定されており、例えば個々のイベントのタイトル情報に埋め込まれてイベント紹介ページ２１ａに設けられている。
【０１０３】
《イベントの参加申込みに関する制御データの継承制御について》
イベントの参加申込みに関する制御データの継承制御は、アフィリエイト販売に関する制御データの継承制御を利用することができる。
【０１０４】
詳しくは、前述のデータ継承制御部３３は、主要な手段として、ユーザ１の通信端末の画面上に表示されたアフィリエイタのイベント紹介ページ（アフィリエイト販売の商品紹介ページに相当）に設けられている誘導用リンクが選択操作されてアクセスを受付けた際に、その通信端末が携帯端末１ｂか否かを判定する判定手段と、携帯端末１ｂと判定した場合、誘導用リンクに含まれる第１識別データを基に、当該活動家のイベントに対応する個別イベント情報のページが掲載されているイベント情報サイト１０のＵＲＬを特定すると共に、そのＵＲＬに対応する当該イベント情報サイト１０の個別イベント情報１１ａのＷｅｂページをデータベース３６から読み込み、当該イベント情報サイト１０に誘導する処理を実行せずに、携帯端末１ｂからのアクセス先ＵＲＬを誘導用リンクのままとして（ＨＴＴＰ要求に対する応答のロケーションヘッダに設定するＵＲＬを誘導用リンクとして）個別イベント情報１１ａのＷｅｂページを携帯端末１ｂに送信して画面上に表示させる処理を実行する誘導制御手段と、を備えている。
【０１０５】
更に、データ継承制御部３３は、携帯端末１ｂ側においてＷｅｂページのＵＲＬがＵＲＬ記憶部（お気に入り等のＵＲＬリスト）に保存された後、そのＵＲＬ記憶部に記憶されたＵＲＬが選択操作されて再度アクセスを受付けた際に、クッキーを用いることなく、ＵＲＬ内の第１識別データ及び第２識別データからアフィリエイト販売処理に必要なデータを復元して当該データを継承する処理を実行するデータ復元手段を備えている。
【０１０６】
《商品代金等の決済処理について》
ここで、図４中の点線の矢印で示す「決済リンク」と、商品代金等の決済処理について説明する。図４中のイベント紹介ページ２１ａに設けられるＵＲＬリンク（誘導用リンク）のリンク先は、本例では、活動家のイベントの詳細を解説したページ（図４中の個別イベント情報１１ａが表示される解説ページ１１）であり、そのページには、決済リンクが設けられている。決済リンクは、例えば、最初のアクセス先となるイベント運営支援システム３０内のＡＳＰサーバのホスト名を「www.xyz.jp」とし、引数ＵＲＬとして、参加申込みが要求されたイベントまたはそのイベントを開催する活動家を特定する識別データ「1234」を付加したＵＲＬ情報から構成される。上記のような決済リンクをユーザ１がクリックすると、イベント運営支援システム３０に移動し、イベント運営支援システム３０により課金ページ３１ａの画面データがユーザ端末（ＰＣ１ａ若しくは携帯端末１ｂ）に送信され、課金ページ３１ａの画面（参加申込画面）３１がユーザ端末の表示部に表示される。ユーザ１は、イベントに参加する場合（又は活動家の関連商品を購入する場合）は、例えば、決済の形態（カード決済、銀行振込決済など）を選択し、決済の形態に応じた決済ページ４１ａの画面（決済画面）４１上でユーザＩＤ，パスワード等を入力して購入ボタンをクリックし、イベントの参加を申込む（又は希望した商品を購入する）。
【０１０７】
本発明に係るイベント運営支援システム３０は、参加申込画面３１を通じてイベントに対する参加申込みが完了したと判定した時点で、当該イベントの参加代金の課金決済処理を実行するプロセスで「課金ＡＰＩ」を呼出し、決済システム４０とイベント運営支援システム３０との間で決済処理及びイベント紹介料の支払処理に係る詳細データ）の授受を行い、決済システム４０におけるイベント参加代金の決済処理とイベント運営支援システム３０における課金処理及び報酬の支払処理とを連動させるようにしている。
【０１０８】
図４の例では、決済システム４０は、イベント運営支援システム３０との間の情報の授受方式を規定した「課金ＡＰＩ」のプロトコルに従って、イベント参加代金（又は活動家のグッズ等の関連商品の代金）の決済情報をイベント運営支援システム３０に送信する処理と、イベント運営支援システム３０から報酬情報を受信する処理とを実行するアフィリエイト連携処理部４２と、アフィリエイト連携処理部４２で受信した報酬情報に基づいて活動家の口座に振込む売上金を決定し、その売上金を活動家の口座に振込む処理を実行する決済処理部４３と、を備えている。
【０１０９】
一方、イベント運営支援システム３０内の決済連携処理部３４では、上記課金ＡＰＩのプロトコルに従って、決済システム４０から決済情報を受信する処理と、受信した決済情報に基づいてアフィリエイト報酬（当該イベント若しくは上記関連商品を紹介したアフィリエイタに支払う報酬）を決定すると共に、決定したアフィリエイト報酬を含む報酬情報を決済システム４０に返信する処理とを実行する。また、イベント運営支援システム３０は、決済システム４０からの決済情報に基づき、上記アフィリエイト報酬を当該イベントの売上額や関連商品の売上額に応じて決定する処理を実行する報酬決定手段を備えている。
（４．本発明に係る運営支援サーバの機能構成と動作例）
次に、本発明に係る運営支援サーバの機能構成と動作例について説明する。なお、アフィリエイト処理部（データ継承制御部３３，決済連携処理部３４，報酬交換処理部３５）の処理については説明済みのため、ここでは、イベント運営支援処理部３２の構成について説明する。
【０１１０】
図５は、本発明に係るイベント運用支援サーバのイベント運営支援処理部の構成例を示す機能ブロック図である。
【０１１１】
運用支援サーバ３０Ａのイベント運営支援処理部３２は、主要な構成として、集客処理手段３２ａと、報酬分配手段３２ｂと、決済手段３２ｃと、参加者リスト更新手段３２ｄと、顧客情報収集手段３２ｅと、無料サービス提供手段３２ｆと、有料サービス提供手段３２ｇと、支援者リスト更新手段３２ｈと、を備えている。これらの手段は、「２．本発明に係るイベント運営支援システムの仕組み」において説明した手段であり、一部説明が重複するが、図４のシステム構成図を参照しながら各手段３２ａ〜３２ｈについて個別に順次説明する。
【０１１２】
なお、運用支援サーバ３０Ａに実装される各手段の名称は、説明の便宜上で付与した名称であり、ソフトウェアの構成や処理の順序を限定するものではない。
【０１１３】
（ａ）集客処理手段３２ａ
集客処理手段３２ａは、アフィリエイタ２による活動家のイベントの紹介記事が掲載された電子メディア２０（メルマガ，ブログ，ＳＮＳ等のページ）上に設けられた誘導用リンクに基づいて、そのリンク内の識別データ（前述の第１識別データ）によって特定される活動家のイベントに対応する個別イベント情報１１ａが掲載されている解説ページ１１に誘導し、本例では、その解説ページ１１に設定されている決済リンクを通じて、そのイベントに対する参加を促す参加申込画面３１をユーザ１の通信端末（１ａ又は１ｂ）側に表示する処理を実行する。
【０１１４】
（ｂ）報酬分配手段３２ｂ
報酬分配手段３２ｂは、参加申込画面３１を通じてイベントに対する参加申込みが行われた際に、そのイベントを紹介したアフィリエイタ２に対する報酬及びそのイベントを開催する活動家に対する売上金を算出し、その算出結果を課金情報として決済管理ＤＢ１５に保存する処理を実行する。上記売上金は、基本的には、イベント参加申込者が支払う代金から活動家へのシステム利用手数料とアフィリエイト報酬とを差し引いた金額である。
【０１１５】
報酬分配手段３２ｂは、更に、ユーザ管理ＤＢ１１に保管されている活動家の支援団体の支援者リストとイベント参加者リストに基づいて、参加申込みをしたユーザがイベントを開催する活動家の支援団体に属する支援者か否かを判定し、上記ユーザがその支援団体に属していないと判定した場合は、その支援団体への加入を促す画面を上記ユーザの通信端末側に表示し、支援団体への加入がなされた時点で、アフィリエイタ２に対して特定のアフィリエイト報酬を発生させる処理を実行する。上記画面の表示処理は、例えば、参加者リスト更新手段３２ｄによるイベント参加者リストの更新処理と連動して実行される。あるいは、後述の無料サービス提供手段３２ｆにより配信されるメルマガのページ上に設けたリンクを通じて、上記画面の表示処理が実行される。
【０１１６】
なお、前述の２ティア報酬による報酬分配処理などについては公知の仕組みであり、説明を省略する。
【０１１７】
（ｃ）決済手段３２ｃ
決済手段３２ｃは、前述の課金ＡＰＩのプロトコルのプロトコルを用いた決済システム４０との連携処理によって、報酬分配手段３２ｂの算出結果に基づいてアフィリエイタ２に対する報酬の支払処理及び活動家に対する売上金の支払処理を自動的に実行する。
【０１１８】
決済手段３２ｃでは、イベント参加代金の決済情報を含む決済完了通知を決済システム４０から受信する都度、上記処理を実行すると共に、売上金の累計額を売上管理ＤＢ１６に保管する処理を自動的に実行する。
【０１１９】
（ｄ）参加者リスト更新手段３２ｄ
参加者リスト更新手段３２ｄは、イベントに対する参加申込みが完了したと判定した時点、詳しくは本例では決済システム４０からイベント参加代金の決済情報を含む決済完了通知を決済手段３２ｃが受信した時点で、当該ユーザの情報をユーザ管理ＤＢ１２内のイベント参加者リストに自動的に反映（当該イベントの参加者として追加）する処理を実行する。また、参加者リスト更新手段３２ｄでは、イベントに対する参加申込みが完了したと判定した時点で、当該イベントの予約者（参加申込者）の情報をイベントＩＤやユーザＩＤに対応付けて予約管理ＤＢ１４に自動的に保管する処理を実行する。
【０１２０】
（ｅ）顧客情報収集手段３２ｅ
顧客情報収集手段３２ｅは、イベントに対する参加申込みが完了したと判定した時点で、上記参加者リスト更新手段３２ｄによるイベント参加者リストの更新処理と連動して、当該ユーザの情報をアフィリ管理ＤＢ１６内の無料会員リスト（前述の無料サービスの利用が可能な第１の会員リスト）に自動的に反映する処理を実行する。
【０１２１】
また、顧客情報収集手段３２ｅは、参加者リスト更新手段３２ｄによるイベント参加者リストの更新処理と連動して、当該イベントを開催する活動家に関連する有料会員の会員申込画面をユーザの通信端末側に表示し、会員申込画面を通じて有料会員の会員登録が完了したと判定した時点で、当該ユーザの情報をアフィリ管理ＤＢ１６内の有料会員リスト（前述の有料サービスの利用が可能な第２の会員リスト）に自動的に反映する処理を実行する。あるいは、顧客情報収集手段３２ｅは、次に説明する無料サービス提供手段３２ｆにより配信されるメルマガのページ上に設けたリンクを通じて、上記会員申込画面の表示処理を実行する。
【０１２２】
（ｆ）無料サービス提供手段３２ｆ
無料サービス提供手段３２ｆは、上記無料会員リストに示される各会員に対してメルマガの自動配信サービスを含め、無料会員リストに対して無料サービスを提供する。この無料会員リストは、アフィリ管理ＤＢ１６で保管している会員リストであるが、本実施形態では、そのユーザ管理Ｄ１２に活動家別に保管されている支援団体の支援者リストを含む会員リストである。
【０１２３】
無料サービス提供手段３２ｆは、例えば、支援者リストで示される会員及びイベント参加者の全員に対して、当該ユーザが参加したイベントを開催した活動家が発行するメルマガ（購読解除リンク付のメルマガ）を自動的に配信する処理を実行する。その際、無料サービス提供手段３２ｆは、例えば、活動家の関連商品に関するその活動家の紹介メッセージ及び紹介リンク（誘導用リンク）を組込んだメルマガを配信する。その際に、本実施の形態では、支援者リストから得た当該支援者の名前若しくはニックネームをメマガの本文中に自動的に記入して配信する形態としている。更に、支援団体への加入を促す画面（Ｗｅｂページ）へのリンクや、有料会員への加入を促す会員申込画面（Ｗｅｂページ）へのリンクを組込んだメルマガを配信する形態としても良い。
【０１２４】
（ｇ）有料サービス提供手段３２ｇ
有料サービス提供手段３２ｇは、有料会員リストに示される各会員に対して有料サービスを提供する。この有料会員リストは、アフィリ管理ＤＢ１６で保管している会員リストであるが、本実施形態では、活動家が主催するＳＮＳサイトの会員リスト（仮想コミュニティの会員リスト）を含む会員リストである。
【０１２５】
有料サービス提供手段３２ｇは、上記ＳＮＳサイトを含め、異なる会員リストの一方が更新された場合は、他の会員リストを更新する処理を実行し、各有料会員専用のＷｅｂサイトにおける有料サービスを各会員が享受できるようにしている。上記会員リストの更新処理は、当該会員リストを管理するシステムが外部システムの場合は、会員情報をネットワーク経由で送受信して（或いはディレクトリサーバを介して）会員情報を同一化させる
連携処理を実行する。この連携処理は無料会員リストについても同様である。
【０１２６】
（ｈ）支援者リスト更新手段３２ｈ
支援者リスト更新手段３２ｈは、活動家の支援団体への加入がなされた時点で、当該ユーザの情報をユーザ管理ＤＢ１２内の当該活動家の支援団体の支援者リストに自動的に反映する処理を実行する。その際、上記連携処理と同様に、支援団体の会員システムが外部システムの場合は、支援団体の会員システムとの間で会員情報を同一化させる連携処理を実行する。
【０１２７】
なお、上述した実施の形態にいては、イベントを紹介したアフィリエイタ（活動家の支援者や一般ユーザ）へアフィリエイト報酬が発生する場合を例として説明したが、誘導用リンクを通じて顧客による商品（特に活動家のグッズ等の関連商品）の購入が行われた時点で、各手段によって同様の処理を実行する形態としても良い。
【符号の説明】
【０１２８】
１  ユーザ
１ａ  パソコン（ユーザ端末）
１ｂ  携帯端末（ユーザ端末）
２  アフィリエイタ（紹介者）
１０  イベント情報サイト
１１  解説ページ
１１ａ，Ｄ１１  個別イベント情報（又は活動家の関連商品）
２０  電子メディア（宣伝告知手段）
２１ａ  イベント紹介ページ
３０  イベント運営支援システム
３０Ａ  運用支援サーバ
３１  参加申込画面
３１ａ  課金ページ
３２  イベント運営支援処理部
３２ａ  集客処理手段
３２ｂ  報酬分配手段
３２ｃ  決済手段
３２ｄ  参加者リスト更新手段
３２ｅ  顧客情報収集手段
３２ｆ  無料サービス提供手段
３２ｇ  有料サービス提供手段
３２ｈ  支援者リスト更新手段
３３  データ継承制御部
３４  決済連携処理部
３５  報酬交換処理部
３６  データベース群
４０  決済システム
４１  決済画面
４１ａ  決済ページ
４２  アフィリエイト連携処理部
４３  決済処理部
５０  電子マネー処理システム
【図１】
2011134189.tif 000003
【図２】
2011134189.tif 000004
【図３】
2011134189.tif 000005
【図４】
2011134189.tif 000006
【図５】
2011134189.tif 000007